(57)【特許請求の範囲】
【請求項１】
生体のインピーダンスを測定する手段と、身長、体重、年齢、性別等の個人データを入力する手段と、前記インピーダンス値と前記個人データとに基づいて体脂肪量、体脂肪率等の体脂肪情報を算出する手段と、算出された体脂肪情報と前記インピーダンスの測定経過を表示する表示手段とを備えた体脂肪計において、  前記インピーダンス値の変化分を算出する手段と、この変化分が所定の値を越えた場合に体動があったことを検知する体動検知手段と、この体動検知手段による体動検知に応答して前記測定経過を所定の表示段階に戻して表示することを特徴とする体脂肪計。
【発明の詳細な説明】
【０００１】
【発明の属する技術分野】
この発明は、被検者の身体特定化情報（身長、体重、年齢、性別等）と体内インピーダンス測定情報より、体脂肪量、体脂肪率、肥満判定結果、及び判定結果の度合等を算出・表示し、この表示結果を基に健康管理に役立てる体脂肪計に関する。
【０００２】
【従来の技術】
一般によく知られた体脂肪率を測定する体脂肪計としては、生体の局部の異なる２点に一対の電極を装着し、２点間の生体インピーダンスを測定し、この測定インピーダンスから体脂肪率を算出し、得られた体脂肪率を表示器に表示するものがある。又、この種の体脂肪計の一般的な表示モードとしては、個人情報入力モード、測定モード、測定結果表示モードの少なくとも３つのモードがある。
【０００３】
【発明が解決しようとする課題】
上記した従来の体脂肪計では、測定中に体動すると、その影響が測定結果に表れ、誤測定となる恐れがあるが、従来は体動の有無を使用者に知らせる機能を有していなかった。
そのため、体動が生じると、異常な測定値が表示されたり、測定エラーが発生するという問題があった。
【０００４】
この発明は、上記問題点に着目してなされたものであって、体動が生じた場合に使用者にこれを報知し得る体脂肪計を提供することを目的としている。
【０００５】
【課題を解決するための手段】
前記目的を達成するために、本発明の体脂肪計は、生体のインピーダンスを測定する手段と、身長、体重、年齢、性別等の個人データを入力する手段と、前記インピーダンス値と前記個人データとに基づいて体脂肪量、体脂肪率等の体脂肪情報を算出する手段と、算出された体脂肪情報と前記インピーダンスの測定経過を表示する表示手段とを備えた体脂肪計において、前記インピーダンス値の変化分を算出する手段と、この変化分が所定の値を越えた場合に体動があったことを検知する体動検知手段と、この体動検知手段による体動検知に応答して前記測定経過を所定の表示段階に戻して表示することを特徴とする。
【０００６】
この体脂肪計では、測定中に体動があると、生体のインピーダンスが変化し、その生体インピーダンスの変化分が算出され、その変化分が所定値を越えた場合に体動検知とされ、それが報知されるので、測定者は体動があったことを知ることができる。
【０００７】
又、この体脂肪計では、体動検知手段が体動を検知したときは、測定経過を所定の表示段階に戻して表示する。
そのため、使用者は所定の表示段階まで戻された測定経過の表示を見て、直ちに体動が生じていたことを知ることができる。
【０００８】
【発明の実施の形態】
以下、実施の形態により、この発明をさらに詳細に説明する
図１は、この発明の一実施形態に係る体脂肪計の構成を示すブロック図である。この体脂肪計は、表示器１と、電源スイッチ、モードスイッチ、測定開始スイッチ及び１０キーを含むキー入力部２と、ブザー３と、体脂肪測定の一連の制御処理を実行するＣＰＵ４と、電池等の電源５と、インピーダンス測定のため、人体に定電流を流すための定電流発生回路６と、測定のための電極８，８と、生体のインピーダンス測定のための電圧検出回路７とから構成されている。モードスイッチは、身長、体重、年齢、性別等のデータを入力するためのスイッチである。
【０００９】
表示器１は、図８に示すように、身長、体重、体脂肪量、体脂肪率、年齢、男女、肥満度（判定結果）、測定過程を表示する複数本（ここでは１２本）のバー表示を備えている。この表示器１では、判定結果が“やせ”、“標準”、“軽肥満”、“肥満”の４段階に分かれており、各判定結果の表示領域毎にそれぞれ３本のバーが割り当てられている。各判定結果の表示領域における３本のバー表示が持つ意味は、左側の１本のみのバーが表示されている場合は「低」、２本のバーが表示されている場合は「中」、３本全てのバーが表示されている場合は「高」を表している。判定結果は、身長、体重、年齢、体脂肪量、体脂肪率等の情報に基づいて決定され、その判定結果の表示領域までバーが左側から右側に向かって表示される。従って、バーグラフの先端が存在する表示領域及びこの表示領域中のバーの数により、判定結果及びこの判定結果の程度を知ることができる。
【００１０】
次に、図２に示す全体のフローチャートを参照して、この実施形態の体脂肪計の全体動作を説明する。キー入力部２の電源スイッチをＯＮすると、「電源スイッチＯＮか」の判定がＹＥＳとなり〔ステップ（以下、ＳＴと略す）１〕、キー入力部２より個人データが入力される（ＳＴ２）。ここで個人データは、身長、体重、年齢、性別が入力される。これらの個人データは、モードスイッチ、１０キーを使用して全て入力する。個人データの入力された表示形態の一例を図９に示している。全てのデータが入力されると、「全データ入力か」の判定がＹＥＳとなり（ＳＴ３）、次に「測定開始スイッチＯＮか」の判定がなされる（ＳＴ４）。
【００１１】
測定開始スイッチがＯＮされると、１秒毎にインピーダンス測定を開始する（ＳＴ５）。そして、測定が開始されると、まず、モード１となり、以下、順次、モード２、モード３と測定段階が進行する。このモード変化は、自動的に進行し、詳細は後述する。測定は、定電流発生回路６より電極８，８を通して生体に電流を流し、電圧検出回路７で電圧を検出し、この電圧により生体インピーダンスを測定し、この全体インピーダンスから体脂肪量、体脂肪率を算出する。最も、この手法自体は既に良く知られたものである。測定が終了すると（ＳＴ６）、その測定結果、つまり体脂肪値（体脂肪量、体脂肪率）が表示器１に表示され（ＳＴ７）、１分経過した後（ＳＴ８）、測定が終了する。
【００１２】
次に、ＳＴ５の測定処理における各モードの動作を図３〜図５に示すフローチャートにより説明する。まず、この測定ルーチンに入ると、モード１となり、「１秒毎フラグがＯＮか否か」が判定され（ＳＴ１０）、１秒毎フラグがＯＦＦであれば、ＯＮとなるまで待機する。１秒毎フラグがＯＮとなれば、この１秒毎フラグをＯＦＦし（ＳＴ１１）、続いてインピーダンス計測を行う（ＳＴ１２）。そして、併せて微分インピーダンス（１秒間におけるインピーダンス変化）も計算する（ＳＴ１３）。次に、モード１か否かを判定する（ＳＴ１４）。当初はモード１なので、判定はＹＥＳであり、次に表示器１にバー３本の表示を点滅させる（ＳＴ１５）。この表示状態を図１０に示す。その後、続いて「測定開始後３秒経過か否か」を判定し（ＳＴ１６）、測定開始後３秒が経過するまではＳＴ１０に戻り、ＳＴ１０〜ＳＴ１６の処理を繰り返し、図１０の点滅動作を継続する。
【００１３】
３秒が経過すると、ＳＴ１６の判定がＹＥＳとなり、次にモード２とし（ＳＴ１７）、ＳＴ１０に戻った後、ＳＴ１４の判定ＮＯで、次の図４のフローチャートに示す処理段階に移る。モード２なので、ＳＴ１８の判定はＹＥＳとなり、今度は図１１に示すように、表示器１のバー６本を点滅させ（ＳＴ１９）、さらに「測定開始後５秒経過したか否か」を判定し（ＳＴ２０）、５秒が経過するまではＳＴ１０に戻り、図１１の点滅を継続する。測定開始後５秒が経過すると、ＳＴ２０の判定がＹＥＳとなり、モード３とし（ＳＴ２１）、ＳＴ１０に戻り、ＳＴ１４でのＮＯ、ＳＴ１８でのＮＯを経て、ＳＴ２２の判定ＹＥＳで、図１２に示すバー９本の点滅動作を行う（ＳＴ２３）。このモード３では、現在の微分インピーダンスが１Ω／ｓ以下であるか判定し（ＳＴ２４）、判定ＮＯであれば、ＳＴ１０に戻り、そのままＳＴ２３によるバー９本の点滅を続ける。
【００１４】
ＳＴ２４の判定がＹＥＳ、つまり微分インピーダンスが１Ω／ｓ以下となると、測定インピーダンスの変化が少なく、安定しつつあることを意味する。この現在のインピーダンスが１Ω／ｓ以下であるかの判定は、測定が終了状態に達したか否かを判定している。当初、インピーダンスの変化がある間は測定途中である。続いて、今度はモード４とし（ＳＴ２５）、図１３に示すように、バー１２本の点滅を行う（ＳＴ２６，ＳＴ２７）。次に、現在のインピーダンスが１秒に１Ω以下か否かを判定し（ＳＴ２８）、なお体動があると、生体インピーダンスの測定値が大きく変化する。そのため、ここで現在の微分インピーダンスが１Ω／ｓを越える場合には、体動があったことを示し、再びモード３に戻す（ＳＴ２９）。そして、ＳＴ１０から再度、図４のＳＴ２２に移り、モード３の表示、つまりバー９本の点滅を行う（図１２参照）。これにより、体動があったことを示している。従って、使用者は、測定中にバー表示が１２本から９本に減少したことにより、体動があったことを知ることができる。体動を知れば、体動なしの再測定の動機とできる。
【００１５】
ＳＴ２８において、判定がＹＥＳの場合には、次に１秒前の微分インピーダンスが１Ω／ｓ以下か否かを判定し（ＳＴ３０）、この判定がＮＯの場合には、なおＳＴ１０に戻る。１秒前の微分インピーダンスも、今回の微分インピーダンスも、１Ω／ｓ以下の場合には、さらに２秒前の微分インピーダンスが１Ω／ｓ以下か否かを判定し（ＳＴ３１）、これがＮＯの場合は、ＳＴ１０に戻るが、２秒前の微分インピーダンスも１Ω／ｓ以下の場合、つまり３秒間にわたり、微分インピーダンスが所定値以下の場合は、完全に測定が終了したとして、モード５にし（ＳＴ３２）、ＳＴ１０に戻る。
【００１６】
最後に、モード５なのでＳＴ２６でＮＯとなり、測定を終了する。モード５の表示は図１４に示す通りである。使用者は、体脂肪率と体脂肪量をそれぞれ数値で知ることができると共に、判定結果とその程度をバーグラフで知ることができる。図１４に示された測定結果の表示例では、７本のバーが表示され、最右のバーが点滅表示される。この最右のバー（バーグラフの先端）が存在する表示領域は“軽肥満”であり、この“軽肥満”領域の左側の１本のバーのみが表示されているから、“軽肥満”の度合は「低」となる。
【００１７】
次に、別の全体動作を示すフローチャートを図６及び図７に示す。この動作は、図２に示す動作と基本的に同じであるが、測定に必要な個人データが全て入力されたことに基づいて入力完了済の旨を表示する動作と、測定に必要な個人データが全て入力されていないと測定を開始しない動作（プロテクト機能）を追加したものである。図２と同じ処理は簡潔に説明する。
【００１８】
まず、電源スイッチがＯＮされると（ＳＴ４１）、個人データの入力が行われる（ＳＴ４２）。ＳＴ４３で個人データが全て入力されたか否かが判定され、この判定がＮＯの場合は、測定開始スイッチのＯＮ／ＯＦＦの判定が行われ、この段階では個人データが全て入力されていないので、測定開始スイッチのＯＮ／ＯＦＦにかかわらず、ＳＴ４２に戻り、個人データの入力を続ける。全ての個人データが入力されると、図９に示すように“準備完了”の表示が点灯する（ＳＴ４５）。但し、図９では、“準備完”と表示される。使用者は、この“準備完”の表示を見ることで、データを全て入力したことを知ることができる。
【００１９】
“準備完”の表示後に、測定開始スイッチのＯＮ／ＯＦＦの判定が行われ（ＳＴ４６）、測定開始スイッチがＯＮされると、“準備完”の表示が消灯し（ＳＴ４７）、図１０に示すように“測定中”の表示が点灯し（ＳＴ４８）、測定が開始される（ＳＴ４９）。この測定中には、前記したようにモード１、モード２、モード３、モード４と順次、測定段階が進行し、図１０〜図１３に示すように表示されるバーの本数が３本ずつ増えていく。この間も、“測定中”の表示は継続される。
【００２０】
測定中に「測定が終了したか否か」が判定され（ＳＴ５０）、まだ終了していない場合は、さらに測定開始スイッチのＯＮ／ＯＦＦが判定される（ＳＴ５１）。測定中は、測定開始スイッチのＯＮ／ＯＦＦにかかわらず、測定が続行される。測定が終了すると、測定結果が図１４のように表示器１に表示される（ＳＴ５２）。この結果表示では、“測定中”の表示が消灯すると共に、“準備完”の表示が点灯する。結果表示は１分間継続されるから（ＳＴ５３）、１分経過する間に測定開始スイッチのＯＮ／ＯＦＦが判定される（ＳＴ５４）。１分以内に測定開始スイッチをＯＮすれば、再測定となり、ＳＴ４７に戻り、“準備完”の表示が消灯し、“測定中”の表示が点灯し（ＳＴ４８）、図１０の表示に戻り、再測定が開始する。測定結果が表示されてから１分が経過するまでに、測定開始スイッチをＯＮすれば、何度でも測定を行うことができる。１分が経過すれば、測定が終了する。
【００２１】
【発明の効果】
以上説明したように、本発明によれば、測定中に体動があると、生体のインピーダンスの変化分が所定値を越えた場合に、体動が有りと検知され、体動検知に応答して、測定経過を所定の表示段階に戻して表示するので、測定者は体動があったことを知ることができる。
【００２２】
また、体動検知に応答して、測定結果を所定の表示段階に戻して表示するので、体動があったことに加えて、体動発生によって測定経過がどのような状態になったかの両方を使用者が知ることができ、異常に気づき、結果的に再測定を行うことができ、異常な測定を軽減することができる。
【図面の簡単な説明】
【図１】この発明の一実施形態の体脂肪計の構成を示すブロック図である。
【図２】同実施形態の体脂肪計の全体動作を説明するためのフローチャートである。
【図３】同実施形態の体脂肪計の測定モード１の動作を説明するためのフローチャートである。
【図４】同実施形態の体脂肪計の測定モード２，３の動作を説明するためのフローチャートである。
【図５】同実施形態の体脂肪計の測定モード４の動作を説明するためのフローチャートである。
【図６】同実施形態の体脂肪計の別の全体動作を説明するためのフローチャートである。
【図７】図６のフローチャートに続くフローチャートである。
【図８】同実施形態の体脂肪計の表示器の全体表示パターンを示す図である。
【図９】同実施形態の体脂肪計の個人データ入力時の表示状態を示す図である。
【図１０】同実施形態の体脂肪計の測定モード１における表示状態を示す図である。
【図１１】同実施形態の体脂肪計の測定モード２における表示状態を示す図である。
【図１２】同実施形態の体脂肪計の測定モード３における表示状態を示す図である。
【図１３】同実施形態の体脂肪計の測定モード４における表示状態を示す図である。
【図１４】同実施形態の体脂肪計の測定終了時の表示状態を示す図である。
【符号の説明】
１    表示器
【図１】
0003633293.tif 000002
【図２】
0003633293.tif 000003
【図３】
0003633293.tif 000004
【図４】
0003633293.tif 000005
【図５】
0003633293.tif 000006
【図６】
0003633293.tif 000007
【図７】
0003633293.tif 000008
【図８】
0003633293.tif 000009
【図９】
0003633293.tif 000010
【図１０】
0003633293.tif 000011
【図１１】
0003633293.tif 000012
【図１２】
0003633293.tif 000013
【図１３】
0003633293.tif 000014
【図１４】
0003633293.tif 000015